(57)【要約】【課題】足裏が当接する台部分のみならず、形状上個人差があって、過度に当たって靴ずれ等を引き起こすおそれのあるくるぶしの当接部についても、装着後、装着者各人の足の形状にフィットするように変形し、且つ、その変形状態を保持することを可能にし、以て、装着者各人の足の形状に馴染む履き心地の良い状態が得られる履物を提供することを課題とする。【解決手段】少なくとも足裏当接部及びくるぶし当接部に、低反発性素材３〜５が配置され、装着されることによって、前記各当接部が装着者の足の形状にフィットするように凹凸変形し、且つ、その変形状態が保持されるようにした。【選択図】図４
0003158010.tif 000002
【実用新案登録請求の範囲】
【請求項１】
少なくとも足裏当接部及びくるぶし当接部に低反発性素材が配置され、装着されることによって、前記各当接部が装着者の足の形状にフィットするように凹凸変形し、且つ、その変形状態が保持されることを特徴とする履物。
【請求項２】
前記履物は、足を載せるための台と、前記台を跨ぐように配置される、くるぶしに当接する部分を含むバンドとを有して成るサンダルであり、前記低反発性素材は、少なくとも前記台の足裏当接部と前記バンド内側面のくるぶし当接部に配置される、請求項１に記載の履物。
【請求項３】
前記低反発性素材は、エチレン酢酸ビニル共重合体を含むものである、請求項１又は２に記載の履物。
【請求項４】
前記低反発性素材は抗菌・消臭機能を有するものである、請求項１乃至３のいずれかに記載の履物。
【考案の詳細な説明】
【技術分野】
【０００１】
本考案は履物に関するものであり、より詳細には、所謂ナースサンダルのような、くるぶしに当たるバンドを有するサンダル類、あるいは、ブーツのような、トップラインが高くてくるぶしに当たる部分を有する深靴類であって、装着することによって、くるぶし当接部を含む、足当接部が、各人の足の形状にフィットするように変形する履物に関するものである。
【背景技術】
【０００２】
履物の購入に際しては、デザインとサイズとが商品選択の主な要素となる。しかし、サイズが合っているからといって、必ずしも快適なフィット感が得られ、また、快適な履き心地が得られるとは限らない。即ち、装着者各人の足は、たとえサイズが同じであってもその形状はまちまちであるため、ある履物が、ある人には快適にフィットするが、別の人には履き心地が悪いといったことは、しばしば起こることである。
【０００３】
かかる事態に鑑み、サンダルの台を、低密度ポリエチレンとエチレン酢酸ビニル共重合体とから成る樹脂発泡体で構成し、装着者の体重で塑性変形させた後、その変形状態を保持させることを企図した発明が提案されている（特許文献１：特許第３８５１９２１号公報、特許文献２：実用新案登録第３０９７５１７号公報）。
【０００４】
しかるに、上記提案に係る発明は、専ら足裏が当接するサンダルの台に関するものであり、換言すれば、サンダルの台に対する足裏の馴染みの点についてのみ配慮したもので、その他の部分に対しての配慮は、全くなされていない。
【先行技術文献】
【特許文献】
【０００５】
【特許文献１】特許第３８５１９２１号公報
【特許文献２】実用新案登録第３０９７５１７号公報
【考案の概要】
【考案が解決しようとする課題】
【０００６】
上述したように、従来提案されているサンダルの履き心地を改良するための工夫は、専ら、足裏が当接するサンダルの台に関するものであって、当接具合によっては履き心地を低下させるおそれのあるくるぶし当接部に対しての配慮は、全くなされていなかった。
【０００７】
そこで本考案は、足裏が当接する台部分のみならず、形状上個人差があって、過度に当たって靴ずれ等を引き起こすおそれのあるくるぶしの当接部についても、装着後、装着者各人の足の形状にフィットするように変形し、且つ、その変形状態を保持することを可能にし、以て、装着者各人の足の形状に馴染む履き心地の良い状態が得られる履物を提供することを課題とする。
【課題を解決するための手段】
【０００８】
上記課題を解決するための請求項１に記載の考案は、少なくとも足裏当接部及びくるぶし当接部に、低反発性素材が配置され、装着されることによって、前記各当接部が装着者の足の形状にフィットするように凹凸変形し、且つ、その変形状態が保持されることを特徴とする履物である。
【０００９】
例えば、前記履物は、足を載せるための台と、前記台を跨ぐように配置される、くるぶしに当接する部分を含むバンドとを有して成るサンダルであり、前記低反発性素材は、少なくとも前記台の足裏当接部と前記バンド内側面のくるぶし当接部に配置される。
【００１０】
前記低反発性素材は、エチレン酢酸ビニル共重合体を含むものとされ、一実施形態においては、前記低反発性素材は、抗菌・消臭機能を有するものとされる。
【考案の効果】
【００１１】
上述したように本考案に係る履物は、少なくとも足裏当接部及びくるぶし当接部に、低反発性素材が配置され、装着されることによって、前記各当接部が装着者の足の形状にフィットするように凹凸変形し、且つ、その変形状態が保持されることを特徴とするものであるので、装着に伴って、少なくとも足裏当接部及びくるぶし当接部が装着者の足の形状にフィットするように凹凸変形し、且つ、その変形状態が保持される。それにより、その履物はその装着者の足にフィットしたものとなり、靴ずれ等を起こすことなく快適に履き続けることができる効果がある。
【００１２】
また、請求項４に記載の考案においては、同時に抗菌・消臭効果が得られる効果がある。
【図面の簡単な説明】
【００１３】
【図１】本考案に係る履物の一実施形態の平面図である。
【図２】本考案に係る履物の一実施形態の台を示す斜視図である。
【図３】図２におけるＡ−Ａ線及びＢ−Ｂ線断面図である。
【図４】本考案に係る履物の一実施形態の作用を示す縦断面図である。
【考案を実施するための形態】
【００１４】
本考案を実施するための形態について、添付図面に依拠して詳細に説明する。本考案に係る履物は、少なくとも足裏当接部及びくるぶし当接部に、低反発性素材が配置され、装着されることによって、前記各当接部が装着者の足の形状にフィットするように凹凸変形し、且つ、その変形状態が保持されることを特徴とする履物である。
【００１５】
この履物は、例えば図示した例のように、足を載せるための台１と、台１を跨ぐように配置される、くるぶしに当接する部分を含むバンド２とを有するサンダルとして構成される。そして、低反発性素材３〜５は、少なくとも、台１の足裏当接部と、バンド２の内側面のくるぶし当接部とに配置される。
【００１６】
少なくとも、台１の足裏当接部とバンド２の内側面のくるぶし当接部とに配置される低反発性素材３〜５は、独立気泡型発泡樹脂素材である。この発泡樹脂素材としては、エチレン酢酸ビニル共重合体（ＥＶＡ）、あるいは、エチレン酢酸ビニル共重合体と低密度ポリエチレンを含有したものが用いられる。なお、後者の場合において、エチレン酢酸ビニル共重合体と低密度ポリエチレンとの質量比を選択することにより、所望の圧縮残留ひずみ率（圧縮荷重解除後における反復元力）が得られることは、上記特許文献１に記載のとおりである。
【００１７】
また、好ましくは、各低反発性素材３〜５中に活性炭微粒子や金属粉末等の抗菌・消臭材を混入したり、標準電極電位が異なる二種以上の金属を解離して成るイオン化金属を含有させたりして、各低反発性素材３〜５に抗菌・消臭機能を持たせることとする。
【００１８】
通例、台１に足裏形状に対応する凹陥部６が形成され、そこに足裏当接部となる低反発性素材３が嵌合され、また、低反発性素材４、５は、それぞれバンド２の内側面のくるぶし当接部に定着される。各低反発性素材３〜５は、直接足に触れるようにしてもよいが、その上に薄い保護皮膜を被装することとしてもよい。台１自体は硬質のものであって、装着者の踏圧を受けても変形しないものである。また、通例、接地面からの衝撃の伝達を抑制させるために、低反発性素材３の下側に硬質の保護材７が配置される（図４参照）。
【００１９】
本考案に係る履物は、少なくともその足裏当接部及びくるぶし当接部に、低反発性素材３〜５が配置されていて、初めて装着する前において、低反発性素材３の上面は平坦である（図４（Ａ））。そして、初めて装着した際に、低反発性素材３の上面は、足裏からの踏圧を受けて、装着者の足裏形状に対応する凹凸形状となる（図４（Ｂ））。そして、低反発性素材３は圧縮残留ひずみ率が高いために、履物を脱いだ後も復元力が小さく、その歪み状態が保持され（図４（Ｃ））、脱着を繰り返すうちに、その凹凸形状が固定される。
【００２０】
くるぶし当接部の低反発性素材４、５についても同様の形状変化が起こり、各当接部が装着者の足の形状にフィットするように凹凸変形し、且つ、その変形状態が保持されることとなり、各装着者にとって快適な履き心地の履物となるのである。
【００２１】
図示し且つ上述した例は、所謂ナースサンダル等のサンダルについてのものであるが、ブーツのような、トップラインが高くてくるぶしに当接する部分を有する深靴の場合にも、その足裏当接部とくるぶし当接部に、また、更には、つま先当接部等に低反発性素材を配して構成することにより、上記同様の作用・効果を奏させることができる。
【００２２】
この考案をある程度詳細にその最も好ましい実施形態について説明してきたが、この考案の精神と範囲に反することなしに広範に異なる実施形態を構成することができることは明白なので、この考案は添付請求の範囲において限定した以外はその特定の実施形態に制約されるものではない。
【符号の説明】
【００２３】
１      台
２      バンド
３      低反発性素材
４      低反発性素材
５      低反発性素材
６      凹陥部
７      保護材
【図１】
0003158010.tif 000003
【図２】
0003158010.tif 000004
【図３】
0003158010.tif 000005
【図４】
0003158010.tif 000006